(57)【要約】【課題】  エジェクト動作を異音の発生なく円滑に行えるようにすること。【解決手段】  カムスライダに係合するレバートリガ３２の後部に形成した操作溝３２Ａが前後進ａ，ｂ方向とは４５°の対向角度θ１で交差する傾斜方向Ｏ１に沿って形成され、該操作溝３２Ａの出入口部３２ａが前後進ａ，ｂ方向に沿って形成されると共に、その操作溝３２Ａの奥端部３２ｂが傾斜方向Ｏ１とは直交する直角方向Ｏ２に沿って形成され、トラバースシャーシ３の前部に直角方向Ｏ２に沿ってガイド溝３３が形成されると共に、該ガイド溝３３の基端部に大径孔３３ａが形成されており、レバートリガ３２の下面に突設したフック部３４を大径孔３３ａを通ってガイド溝３３の側縁部に移動可能に係合させることにより、そのガイド溝３３に沿ってレバートリガ３２が移動可能に形成されている。【選択図】        図５
2006040394.tif 000002
【特許請求の範囲】
【請求項１】
ディスク載置用トレイを前後進可能に支持するローダーシャーシが設けられ、前後進可
能な光ピックアップを配置したトラバースシャーシの後部が前記ローダーシャーシに上下
動可能に連結されると共に、該トラバースシャーシの前部がローダーシャーシに前後進方
向とは直交する左右方向にスライド可能に配置したカムスライダに係合され、前記光ピッ
クアップに一体連結したメインラックと、該メインラックに一体範囲内移動可能に連結し
た状態で後進側に付勢されたサブラックとからなるダブルラックが設けられ、該ダブルラ
ックに係脱可能に噛合する駆動ピニオンを正逆回転させるフィードモータがトラバースシ
ャーシに設けられ、前記トラバースシャーシの前部に左右方向に移動可能に取り付けたレ
バートリガが前記カムスライダに係合され、前記サブラックの前端に突設した操作ピンに
対向してレバートリガの後部に前後進方向とは所定の対向角度で交差する傾斜方向に沿っ
て操作溝が形成されており、エジェクト信号に基づいてフィードモータにより駆動ピニオ
ンを正転させることによりダブルラックを介して光ピックアップを前進させ、その光ピッ
クアップが最前進位置に達した後にサブラックをさらに前進させて、操作ピンを操作溝の
内側面に押し付け、その押付力でレバートリガを介してカムスライダを左右一方向にスラ
イドさせることにより、該カムスライダとフィードモータとを同期して連動連結させ、そ
のフィードモータによりカムスライダを左右一方向にスライドさせてトラバースシャーシ
を下動させ、トレイを前進させるようにしたディスク装置において、左右方向に沿って移
動可能な前記レバートリガに代えて、前記操作溝の傾斜方向に対して直交する直角方向に
沿って移動可能なレバートリガが用いられ、前記操作溝が前後進方向とは４５°の対向角
度で交差する傾斜方向に沿って形成され、該操作溝の出入口部が前後進方向に沿って形成
されると共に、その操作溝の奥端部が傾斜方向とは直交する直角方向に沿って形成され、
前記トラバースシャーシの前部に直角方向に沿ってガイド溝が形成されると共に、該ガイ
ド溝の基端部に大径孔が形成されており、前記レバートリガの下面に突設したフック部を
大径孔を通ってガイド溝の側縁部に移動可能に係合させることにより、そのガイド溝に沿
ってレバートリガが移動可能に形成されていることを特徴とするディスク装置。
【請求項２】
ディスク載置用トレイを前後進可能に支持するローダーシャーシが設けられ、前後進可
能な光ピックアップを配置したトラバースシャーシの後部が前記ローダーシャーシに上下
動可能に連結されると共に、該トラバースシャーシの前部がローダーシャーシに前後進方
向とは直交する左右方向にスライド可能に配置したカムスライダに係合され、前記光ピッ
クアップに一体連結したメインラックと、該メインラックに一体範囲内移動可能に連結し
た状態で後進側に付勢されたサブラックとからなるダブルラックが設けられ、該ダブルラ
ックに係脱可能に噛合する駆動ピニオンを正逆回転させるフィードモータがトラバースシ
ャーシに設けられ、前記トラバースシャーシの前部に移動可能に取り付けたレバートリガ
が前記カムスライダに係合され、前記サブラックの前端に突設した操作ピンに対向してレ
バートリガの後部に前後進方向とは所定の対向角度で交差する傾斜方向に沿って操作溝が
形成されており、エジェクト信号に基づいてフィードモータにより駆動ピニオンを正転さ
せることによりダブルラックを介して光ピックアップを前進させ、その光ピックアップが
最前進位置に達した後にサブラックをさらに前進させて、操作ピンを操作溝の内側面に押
し付け、その押付力でレバートリガを介してカムスライダを左右一方向にスライドさせる
ことにより、該カムスライダとフィードモータとを同期して連動連結させ、そのフィード
モータによりカムスライダを左右一方向にスライドさせてトラバースシャーシを下動させ
、トレイを前進させるようにしたディスク装置において、前記レバートリガが、その後部
の操作溝の傾斜方向に対して直交する直角方向に沿って移動可能に形成されていることを
特徴とするディスク装置。
【請求項３】
前記操作溝が前後進方向とは４５°の対向角度で交差する傾斜方向に沿って形成され、
該操作溝の出入口部が前後進方向に沿って形成されると共に、その操作溝の奥端部が傾斜
方向とは直交する直角方向に沿って形成されていることを特徴とする請求項２に記載のデ
ィスク装置。
【請求項４】
前記トラバースシャーシの前部に直角方向に沿ってガイド溝が形成されると共に、該ガ
イド溝の基端部に大径孔が形成されており、前記レバートリガの下面に突設したフック部
を大径孔を通ってガイド溝の側縁部に移動可能に係合させることにより、そのガイド溝に
沿ってレバートリガが移動可能に形成されていることを特徴とする請求項２または３に記
載のディスク装置。
【発明の詳細な説明】
【技術分野】
【０００１】
本発明は、例えばＤＶＤレコーダなどのディスク装置に関し、エジェクト動作を異音の
発生なく円滑に行えるようにしたものである。
【背景技術】
【０００２】
従来、ディスク装置の技術として特許文献１などに記載したものがあり、その一例を図
１２〜図１５に基づいて説明すると、これはＤＶＤレコーダであって、ディスクＤ載置用
トレイ１を前後進ａ，ｂ可能に支持するローダーシャーシ２の内部空間２ａにトラバース
シャーシ３とトラバースホルダ５とが配置され、トラバースシャーシ３の四隅部を弾性ゴ
ムからなる弾性変形可能なダンパー４を介してローダーシャーシ２とトラバースホルダ５
とに連結することにより、該トラバースシャーシ３が後側ダンパー４を中心にして上下動
ｅ，ｆ可能に形成され、トラバースホルダ５の前端起立部５ａに突設したカムピン６がロ
ーダーシャーシ２の前部に前後進ａ，ｂ方向とは直行する左右方向ｃ，ｄに移動可能に配
置したカムスライダ７のカム溝８に嵌入されている。
【０００３】
前記トラバースシャーシ３の前部にターンテーブル１０付きスピンドルモータ１１が固
定されると共に、そのトラバースシャーシ３に光ピックアップ１２がガイドシャフト１３
に沿って前後進ａ，ｂ可能に配置され、光ピックアップ１２に一体連結したメインラック
１４Ａと、該メインラック１４Ａに一定範囲内移動可能に連結した状態でばね（図示せず
）により後進ｂ側に付勢されたサブラック１４Ｂとからなるダブルラック１４が設けられ
、該ダブルラック１４に係脱可能に噛合する駆動ピニオン１５をウォ−ムギヤ機構１６を
介して正逆回転ｇ，ｈさせるフィードモータ１７がトラバースシャーシ３に設けられてい
る。
【０００４】
図１２に示すように、トラバースシャーシ３の前部にレバートリガ１９が左右方向ｃ，
ｄに移動可能に取り付けられ、該レバートリガ１９の前面に突設したトリガピン２０がカ
ムスライダ７のピン溝２１に嵌入され、サブラック１４Ｂの前端に突設した操作ピン１４
ａに対向してそのレバートリガ１９の後部に操作溝１９Ａが形成され、図１６（ａ）に示
すように、操作溝１９Ａが前後進ａ，ｂ方向とは所定の対向角度θ１で交差する傾斜方向
Ｏ１に沿って形成され、該操作溝１９Ａの出入口部１９ａが前後進ａ，ｂ方向に沿って形
成されると共に、その操作溝１９Ａの奥端部１９ｂが左右方向ｃ，ｄに沿って形成されて
いる。
【０００５】
前記カムスライダ７の一端に切換ラック２３が形成され、該切換ラック２３に対向して
ローダーシャーシ２に従動ピニオン２４が正逆回転ｉ，ｊ可能に配置され、該従動ピニオ
ン２４がギア機構５２（図１４参照）を介してフィードモータ１７に連動連結され、その
従動ピニオン２４に対向してトレイ１の下面にトレイラック２５が一体突設されている。
なお、２６ａ，２６ｂはカムスライダ７に突設した左右一対のガイドピンであって、トレ
イ１の下面に一体形成した左右一対のガイド溝２７ａ，２７ｂに係合されている。図１３
中、２８はローダーシャーシ２の上部に架設した天板部２ｂの中央収納部に昇降可能に配
置した磁石付きディスクホルダである。
【０００６】
上記構成において、図１２及び図１３（ａ）は、プレイモードを示すものであって、ト
ラバースシャーシ３を上動ｆさせることにより、ターンテーブル１０とディスクホルダ２
８とでディスクＤを挟持し、スピンドルモータ１１の駆動によりターンテーブル１０を介
してディスクＤを高速回転させ、フィードモータ１７によりウォ−ムギヤ機構１６、駆動
ピニオン１５及びダブルラック１４を介して光ピックアップ１２を前後進ａ，ｂさせ、該
光ピックアップ１２によりディスクＤに記録されている映像情報の再生や録画または消去
をおこなう。
【０００７】
プレイモードからエジェクトモードに切り換えると、スピンドルモータ１１の駆動を停
止し、フィードモータ１７の駆動により、ウォ−ムギヤ機構１６を介して駆動ピニオン１
５を正転ｇさせることにより、ダブルラック１４を介して光ピックアップ１２を前進ａさ
せ〔図１４（ａ）参照〕、光ピックアップ１２がスピンドルモータ１１に当接して最前進
ａ位置に達したときに、駆動ピニオン１５とメインラック１４Ａとの噛合を解消してサブ
ラック１４Ｂだけを前進ａさせ〔図１４（ｂ）参照〕、操作ピン１４ａをレバートリガ１
９の操作溝１９Ａ内に嵌入させ〔図１６（ａ）実線参照〕、該操作ピン１４ａを操作溝１
９の内側面２９に押し付け、その内側面２９に対して直角方向Ｏ２に発生する押付力Ｆの
前方分力Ｆ１で操作ピン１４ａを前進ａさせると共に、その押付力Ｆの左右分力Ｆ２でレ
バートリガ１９を左右一方向ｃに移動させ〔図１６（ａ）仮想線参照〕、これによりトリ
ガピン２０を介してカムスライダ７も同方向ｃに一体的にスライドさせて該カムスライダ
７の切換ラック２３とフィードモータ１７により正転ｉされる従動ピニオン２４とを同期
して連動連結させる（図１５参照）。
【０００８】
続いて、従動ピニオン２４及び切換ラック２３を介してフィードモータ１７によりカム
スライダ７を左右一方向ｃにスライドさせることにより、カム溝８及びカムピン６を介し
てトラバースホルダ５が下降され、前側ダンパー４を介してトラバースシャーシ３の前部
が押し下げられる。これにより、トラバースシャーシ３が後側ダンパー４を中心に下動ｅ
され、ターンテーブル１０がトレイ１よりも下がって、該ターンテーブル１０上のディス
クＤがトレイ１に受け渡される。
【０００９】
前記カムスライダ７が左右一方向ｃにスライドされて左端に達する直前に、各ガイドピ
ン２６ａ，２６ｂが各ガイド溝２７ａ，２７ｂのコーナ斜面３０に押し付けられて、トレ
イ１をわずかに前進ａさせ、トレイラック２５の前端を従動ピニオン２４に噛合させ、そ
れと同時に、切換ラック２３が従動ピニオン２４から外れて縁が切れる。
【００１０】
次に、従動ピニオン２４の正転ｉにより、トレイラック２５を介してトレイ１が前進ａ
され〔図１３（ｂ）参照〕、その最前進ａ状態のトレイ１からディスクＤを取り出したり
、そのトレイ１上に新たなディスクＤを載置した後、エジェクト釦を押すことにより、上
記とは逆の手順でプレイモードに戻される。
【００１１】
具体的寸法の一例を示すと、図１６（ａ）に示すように、操作ピン１４ａの前後進ａ，
ｂ方向に沿う押付方向と操作溝１９の傾斜方向Ｏ１との対向角度θ１を例えば２６．６°
にすることにより、操作ピン１４ａを小さな力で容易に操作できるようにしている。
【００１２】
また、操作ピン１４ａの前進ａ方向への送り量Ｘを８ｍｍ、その左右一方向ｃへの送り
量Ｙを４ｍｍとしており、Ｘ：Ｙ＝２：１の比率でレバートリガ１９を移動させることに
より、切換ラック２３と従動ピニオン２４との歯部どうしが確実に噛み合うように同期さ
せている。
【特許文献１】特開２００２−１４０８４９
【発明の開示】
【発明が解決しようとする課題】
【００１３】
上記従来の構成では、切換ラック２３と従動ピニオン２４とを同期して連動連結させた
時点〔図１６（ａ）の切換位置Ｐ〕以降、フィードモータ１７の駆動力が従動ピニオン２
４を及びカムスライダ７を介してレバートリガ１９に伝達されるようになり、その駆動力
により操作溝１９の内側面２９を操作ピン１４ａに押し付け、その押付力Ｆの前方分力Ｆ
１で操作ピン１４ａを前進ａさせて操作溝奥端部１９ｂ内に送り込むようになっているが
、その前方分力Ｆ１が小さくて、しかも、レバートリガ１９の左右方向ｃ，ｄに沿う押付
方向と操作溝１９の傾斜方向Ｏ１との対向角度θ２（例えば６３．４°）が比較的大きい
ため、操作ピン１４ａを操作溝奥端部１９ｂ内に送り込むことができない事態が生じてエ
ジェクト動作が停止されるおそれがある。
【００１４】
そこで、図１６（ｂ）に示すように、操作溝１９の切換位置Ｐから前方部分を奥端部１
９ｂ側に折り曲げて傾斜コーナ部１９ｃを形成し、その傾斜コーナ部１９ｃの傾斜方向Ｏ
３とレバートリガ１９の左右方向ｃ，ｄに沿う押付方向との対向角度θ２（例えば４０°
）を小さくすることにより、操作ピン１４ａを操作溝奥端部１９ｂ内に送り込むことが考
えられている。
【００１５】
上記構成によれば、傾斜コーナ部１９ｃを傾斜させた分だけ、その傾斜コーナ部１９ｃ
を通る操作ピン１４ａの前進ａ速度が同期速度よりも遅くなり、その結果、サブラック１
４Ｂの前進ａ速度も遅くなって、該サブラック１４Ｂの後端が正転ｇする駆動ピニオン１
５により蹴り上げられて、異音が発生し、ユーザに不快感を与えるという難点がある。
【００１６】
本発明は、上記従来の難点に鑑み、エジェクト動作を異音の発生なく円滑に行えるよう
にしたディスク装置を提供することを目的としている。
【課題を解決するための手段】
【００１７】
上記目的を達成するため、請求項１に記載の発明は、ディスク載置用トレイを前後進可
能に支持するローダーシャーシが設けられ、前後進可能な光ピックアップを配置したトラ
バースシャーシの後部が前記ローダーシャーシに上下動可能に連結されると共に、該トラ
バースシャーシの前部がローダーシャーシに前後進方向とは直交する左右方向にスライド
可能に配置したカムスライダに係合され、前記光ピックアップに一体連結したメインラッ
クと、該メインラックに一体範囲内移動可能に連結した状態で後進側に付勢されたサブラ
ックとからなるダブルラックが設けられ、該ダブルラックに係脱可能に噛合する駆動ピニ
オンを正逆回転させるフィードモータがトラバースシャーシに設けられ、前記トラバース
シャーシの前部に左右方向に移動可能に取り付けたレバートリガが前記カムスライダに係
合され、前記サブラックの前端に突設した操作ピンに対向してレバートリガの後部に前後
進方向とは所定の対向角度で交差する傾斜方向に沿って操作溝が形成されており、エジェ
クト信号に基づいてフィードモータにより駆動ピニオンを正転させることによりダブルラ
ックを介して光ピックアップを前進させ、その光ピックアップが最前進位置に達した後に
サブラックをさらに前進させて、操作ピンを操作溝の内側面に押し付け、その押付力でレ
バートリガを介してカムスライダを左右一方向にスライドさせることにより、該カムスラ
イダとフィードモータとを同期して連動連結させ、そのフィードモータによりカムスライ
ダを左右一方向にスライドさせてトラバースシャーシを下動させ、トレイを前進させるよ
うにしたディスク装置において、左右方向に沿って移動可能な前記レバートリガに代えて
、前記操作溝の傾斜方向に対して直交する直角方向に沿って移動可能なレバートリガが用
いられ、前記操作溝が前後進方向とは４５°の対向角度で交差する傾斜方向に沿って形成
され、該操作溝の出入口部が前後進方向に沿って形成されると共に、その操作溝の奥端部
が傾斜方向とは直交する直角方向に沿って形成され、前記トラバースシャーシの前部に直
角方向に沿ってガイド溝が形成されると共に、該ガイド溝の基端部に大径孔が形成されて
おり、前記レバートリガの下面に突設したフック部を大径孔を通ってガイド溝の側縁部に
移動可能に係合させることにより、そのガイド溝に沿ってレバートリガが移動可能に形成
されていることを特徴としている。
【００１８】
請求項２に記載の発明は、ディスク載置用トレイを前後進可能に支持するローダーシャ
ーシが設けられ、前後進可能な光ピックアップを配置したトラバースシャーシの後部が前
記ローダーシャーシに上下動可能に連結されると共に、該トラバースシャーシの前部がロ
ーダーシャーシに前後進方向とは直交する左右方向にスライド可能に配置したカムスライ
ダに係合され、前記光ピックアップに一体連結したメインラックと、該メインラックに一
体範囲内移動可能に連結した状態で後進側に付勢されたサブラックとからなるダブルラッ
クが設けられ、該ダブルラックに係脱可能に噛合する駆動ピニオンを正逆回転させるフィ
ードモータがトラバースシャーシに設けられ、前記トラバースシャーシの前部に移動可能
に取り付けたレバートリガが前記カムスライダに係合され、前記サブラックの前端に突設
した操作ピンに対向してレバートリガの後部に前後進方向とは所定の対向角度で交差する
傾斜方向に沿って操作溝が形成されており、エジェクト信号に基づいてフィードモータに
より駆動ピニオンを正転させることによりダブルラックを介して光ピックアップを前進さ
せ、その光ピックアップが最前進位置に達した後にサブラックをさらに前進させて、操作
ピンを操作溝の内側面に押し付け、その押付力でレバートリガを介してカムスライダを左
右一方向にスライドさせることにより、該カムスライダとフィードモータとを同期して連
動連結させ、そのフィードモータによりカムスライダを左右一方向にスライドさせてトラ
バースシャーシを下動させ、トレイを前進させるようにしたディスク装置において、前記
レバートリガが、その後部の操作溝の傾斜方向に対して直交する直角方向に沿って移動可
能に形成されていることを特徴としている。
【００１９】
請求項３に記載の発明は、請求項２に記載の発明において、前記操作溝が前後進方向と
は４５°の対向角度で交差する傾斜方向に沿って形成され、該操作溝の出入口部が前後進
方向に沿って形成されると共に、その操作溝の奥端部が傾斜方向とは直交する直角方向に
沿って形成されていることを特徴としている。
【００２０】
請求項４に記載の発明は、請求項２または３に記載の発明において、前記トラバースシ
ャーシの前部に直角方向に沿ってガイド溝が形成されると共に、該ガイド溝の基端部に大
径孔が形成されており、前記レバートリガの下面に突設したフック部を大径孔を通ってガ
イド溝の側縁部に移動可能に係合させることにより、そのガイド溝に沿ってレバートリガ
が移動可能に形成されていることを特徴としている。
【発明の効果】
【００２１】
請求項１に記載の発明は実施の一形態（図１〜図１１参照）に対応するものであって、
これによれば、エジェクトモードで、サブラックの前端に突設した操作ピンをレバートリ
ガの後部に形成した操作溝の内側面に押し付けると、その内側面に対して直角方向に発生
する押付力がその直角方向に沿って移動可能なレバートリガに集中してかかり、しかも、
操作ピンの押付方向と操作溝の傾斜方向との対向角度が４５°で比較的小さいので、レバ
ートリガを容易に移動させて、そのレバートリガに係合するカムスライダとフィードモー
タとを同期して確実に連動連結させることができる。
【００２２】
その連動連結させた時点以降、フィードモータの駆動力がカムスライダを介してレバー
トリガに伝達され、その駆動力により操作溝の内側面を操作ピンに押し付けると、その内
側面に対して直角方向に発生する押付力がその直角方向に沿って移動可能な操作ピンに集
中してかかり、しかも、レバートリガの押付方向と操作溝の傾斜方向との対向角度が４５
°で比較的小さいため、その操作ピンを容易に移動させて操作溝の奥端部内に確実に送り
込むことができ、従来のように操作ピンの送り込み力不足でエジェクト動作が停止される
おそれがない。
【００２３】
また、操作ピンの前進方向への送り量と、その左右一方向への送り量との比率を２：１
に設定して、その操作ピンを所定の同期速度で移動させるので、従来のように操作ピンの
送りが遅くなってサブラックの後端が駆動ピニオンにより蹴り上げられて異音が発生する
こともなく、エジェクト動作を円滑に行うことができる。
【００２４】
しかも、前記レバートリガの下面に突設したフック部を大径孔を介してガイド溝に係合
させるだけで、そのレバートリガをトラバースシャーシに移動可能に簡単に取り付けるこ
とができる。
【００２５】
請求項２に記載の発明は基本形態に対応するものであって、これによれば、エジェクト
モードで、サブラックの前端に突設した操作ピンをレバートリガの後部に形成した操作溝
の内側面に押し付けると、その内側面に対して直角方向に発生する押付力がその直角方向
に沿って移動可能なレバートリガに集中してかかるので、該レバートリガを円滑に移動さ
せて、そのレバートリガに係合するカムスライダとフィードモータとを同期して確実に連
動連結させることができる。
【００２６】
その連動連結させた時点以降、フィードモータの駆動力がカムスライダを介してレバー
トリガに伝達され、その駆動力により操作溝の内側面を操作ピンに押し付けると、その内
側面に対して直角方向に発生する押付力がその直角方向に沿って移動可能な操作ピンに集
中してかかるので、その操作ピンを円滑に移動させて操作溝の奥端部内に確実に送り込む
ことができ、従来のように操作ピンの送り込み力不足でエジェクト動作が停止されるおそ
れがなく、しかも、操作ピンを同期速度で送り込むので、従来のように操作ピンの送りが
遅くなってサブラックの後端が駆動ピニオンにより蹴り上げられて異音が発生することも
なく、エジェクト動作を円滑に行うことができる。
【００２７】
請求項３に記載の発明によれば、  操作ピンの前後進方向に沿う押付方向と操作溝の傾
斜方向との対向角度が４５°に設定されて比較的小さいので、操作ピンによりレバートリ
ガを斜め方向に容易に押し出すことができ、また、操作ピンの前進方向への送り量と、そ
の左右一方向への送り量との比率を２：１に設定しているから、カムスライダとフィード
モータとを同期して確実に連動連結させることができ、更に、その同期して連動連結させ
たときのレバートリガの左右方向に沿う押付方向と操作溝の傾斜方向との対向角度も４５
°で比較的小さいので、操作ピンを操作溝の奥端部内に確実に送り込むことができる。
【００２８】
請求項４に記載の発明によれば、レバートリガの下面に突設したフック部を大径孔を介
してガイド溝に係合させるだけで、そのレバートリガをトラバースシャーシに移動可能に
簡単に取り付けることができる。
【発明を実施するための最良の形態】
【００２９】
図１〜図６は本発明の実施の一形態であるＤＶＤレコーダを示すものであって、レバー
トリガ３２が、その後部の操作溝３２Ａの傾斜方向Ｏ１に対して直交する直角方向Ｏ２に
沿ってｋ，ｍ方向に移動可能にトラバースシャーシ３の前部に取り付けられ、従動ピニオ
ン２４をフィードモータ１７に着脱可能に連結するためのクラッチ機構３５が設けられて
いる。上記以外の構成は図１２〜図１５に示す構成とほぼ同じあるから、同一部分に同一
符号を付してその説明を省略する。
【００３０】
図５及び図６に示すように、前記操作溝３２Ａが前後進ａ，ｂ方向とは４５°の対向角
度θ１で交差する傾斜方向Ｏ１に沿って形成され、該操作溝３２Ａの出入口部３２ａが前
後進ａ，ｂに沿って形成されると共に、その操作溝３２Ａの奥端部３２ｂが傾斜方向Ｏ１
とは直交する直角方向Ｏ２に沿って形成されている。
【００３１】
また、トラバースシャーシ３の前部に直角方向Ｏ２に沿ってガイド溝３３が形成される
と共に、該ガイド溝３３の基端部に大径孔３３ａが形成されており、レバートリガ３２の
下面に突設したフック部３４を大径孔３３ａを通ってガイド溝３３の側縁部に移動可能に
係合させるだけで、そのレバートリガ３２をガイド溝３３に沿ってｋ，ｍ方向に移動可能
に取り付けることができる。
【００３２】
前記クラッチ機構３５は、図３に示すように、従動ピニオン２４の中央部にクラッチ溝
３６を部分的に形成し、該クラッチ溝３６にクラッチ歯車３７の外周部を部分的に嵌入さ
せたものであって、該クラッチ歯車３７はギア機構５２を介してフィードモータ１７に連
動連結されており、クラッチオフの状態（図７参照）から従動ピニオン２４を正逆回転ｉ
，ｊさせることにより、従動ピニオン２４をクラッチ歯車３７に噛合させて、フィードモ
ータ１７の駆動力を従動ピニオン２４に伝達する（図８参照）。
【００３３】
上記構成において、図１、図２及び図４（ａ）は、プレイモードを示すものであって、
クラッチ機構３５がオフ状態にされると共に、切換ラック２３が従動ピニオン２４に噛合
され、トラバースシャーシ３を上動ｆさせることにより、ターンテーブル１０とディスク
ホルダ２８とでディスクＤを挟持し、スピンドルモータ１１の駆動によりターンテーブル
１０を介してディスクＤを高速回転させ、フィードモータ１７によりギア機構５２、駆動
ピニオン１５及びダブルラック１４を介して光ピックアップ１２を前後進ａ，ｂさせ〔図
７（ａ）参照〕、該光ピックアップ１２によりディスクＤに記録されている映像情報の再
生や録画または消去をおこなう。
【００３４】
プレイモードからエジェクトモードに切り換えると、スピンドルモータ１１の駆動を停
止し、フィードモータ１７の駆動により、ギア機構５２を介して駆動ピニオン１５を正転
ｇさせることにより、ダブルラック１４を介して光ピックアップ１２を前進ａさせる。
【００３５】
次に、図７（ｂ）に示すように、光ピックアップ１２が最前進ａ位置に達したときに、
駆動ピニオン１５とメインラック１４Ａとの噛合いを解消してサブラック１４Ｂだけを前
進ａさせ、該サブラック１４Ｂの前端に突設した操作ピン１４ａをレバートリガ３２の操
作溝の出入口部３２ａ内に嵌入させる。
【００３６】
続いて、図８に示すように、前進ａさせた操作ピン１４ａを操作溝３２の内側面２９に
押し付け、その内側面２９に対して直角方向Ｏ２に発生する押付力Ｆでレバートリガ３２
をその直角方向Ｏ２に沿って移動させ（図１１参照）、これによりトリガピン２０を介し
てカムスライダ７も左右一方向ｃにスライドさせ〔図４（ｂ）参照〕、該カムスライダ７
の切換ラック２３を介して従動ピニオン２４を矢印ｉ方向に回転させて、該従動ピニオン
２４をクラッチ歯車３７に噛合させることにより、クラッチ機構３５をクラッチオン状態
とし、従動ピニオン２４をフィードモータ１７に連動連結する。
【００３７】
その後、従動ピニオン２４及び切換ラック２３を介してフィードモータ１７によりカム
スライダ７を左右一方向ｃにスライドさせることにより、カム溝８及びカムピン６を介し
てトラバースホルダ５が下降され、前側ダンパー４を介してトラバースシャーシ３の前部
が押し下げられる〔図４（ｃ）参照〕。これにより、トラバースシャーシ３が後側ダンパ
ー４を中心に下動ｅされ、ターンテーブル１０がトレイ１よりも下がって、該ターンテー
ブル１０上のディスクＤがトレイ１に受け渡される。
【００３８】
前記カムスライダ７が左右一方向ｃにスライドされて左端に達する直前に、各ガイドピ
ン２６ａ，２６ｂが各ガイド溝２７ａ，２７ｂのコーナ斜面３０に押し付けられて、トレ
イ１をわずかに前進ａさせ、トレイラック２５の前端を従動ピニオン２４に噛合させ、そ
れと同時に、切換ラック２３が従動ピニオン２４から外れて縁が切れる（図９参照）。
【００３９】
次に、従動ピニオン２４の正転ｉにより、トレイラック２５を介してトレイ１が前進ａ
され（図１０参照）、その最前進ａ状態のトレイ１からディスクＤを取り出したり、その
トレイ１上に新たなディスクＤを載置した後、エジェクト釦を押すことにより、上記とは
逆の手順でプレイモードに戻される。
【００４０】
具体的寸法の一例を示すと、図１１に示すように、操作ピン１４ａの前後進ａ，ｂ方向
に沿う押付方向と操作溝３２の傾斜方向Ｏ１との対向角度θ１を４５°に設定している。
【００４１】
この場合、エジェクトモードで、操作ピン１４ａを操作溝３２の内側面２９に押し付け
ると、その内側面２９に対して直角方向Ｏ２に発生する押付力Ｆがその直角方向Ｏ２に沿
って移動可能なレバートリガ３２に集中してかかり、しかも、操作溝３２の傾斜角度θ１
が４５°に設定されて比較的小さいので、レバートリガ３２を容易に移動させて、そのレ
バートリガ３２に係合するカムスライダ７とフィードモータ１７とを同期して確実に連動
連結させることができる。
【００４２】
前記従動ピニオン２４とクラッチ歯車３７とを連動連結させた時点〔図１１の切換位置
Ｐ〕以降、フィードモータ１７の駆動力がカムスライダ７を介してレバートリガ３２に伝
達され、その駆動力により操作溝３２の内側面２９を操作ピン１４ａに押し付けると、そ
の内側面２９に対して直角方向Ｏ２に発生する押付力Ｆがその直角方向Ｏ２に沿って移動
可能な操作ピン１４ａに集中してかかり、しかも、レバートリガ３２の左右方向ｃ，ｄに
沿う押付方向と操作溝３２の傾斜方向Ｏ１との対向角度θ２が４５°で比較的小さいため
、その操作ピン１４ａを容易に移動させて操作溝３２Ａの奥端部３２ｂ内に確実に送り込
むことができ、従来のように操作ピン１４ａの送り込み力不足でエジェクト動作が停止さ
れるおそれがない。
【００４３】
また、操作ピン１４ａの前進ａ方向への送り量Ｘを８ｍｍ、その左右一方向ｃへの送り
量Ｙを４ｍｍとし、Ｘ：Ｙ＝２：１の比率に設定して、操作ピン１４ａを所定の同期速度
で移動させるので、従来のように操作ピン１４ａの送りが遅くなって、サブラック１４Ｂ
の後端が駆動ピニオン１５により蹴り上げられて異音が発生することもなく、エジェクト
動作を円滑に行うことができる。
【産業上の利用可能性】
【００４４】
上記実施の形態では、対向角度θ１を４５°に設定したが、これに限定されるわけでは
なく、３０°〜６０°（好ましくは４５°）の範囲で任意に設定することができる。ここ
で、対向角度θ１が３０°未満では、対向角度θ２が６０°を超えることになって、操作
ピン１４ａを操作溝奥端部３２ｂ内に送り込むことが困難になり、対向角度θ１が６０°
を超える場合には、その対向角度θ１が大き過ぎて、操作ピン１４ａを操作溝３２の内側
面２９に押し付けてクラッチオン状態にするのが困難になる。
【００４５】
また、ＤＶＤレコーダを例にあげて説明したが、これに限定されるわけではなく、例え
ばＤＶＤプレーヤやＣＤプレーヤなどの各種のディスク装置にも適用される。
【図面の簡単な説明】
【００４６】
【図１】本発明の実施の一形態であるＤＶＤレコーダのプレイモードを示す平面図である。
【図２】同縦断面図である。
【図３】同クラッチ機構付近の斜視図である。
【図４】（ａ）は同プレイモードを示す横断面図、（ｂ）はエジェクトモードの前半を示す横断面図、（ｃ）はエジェクトモードの後半を示す横断面図である。
【図５】（ａ）は同レバートリガ付近の一部切欠き拡大平面図、（ｂ）はＡ−Ａ矢視図、（ｃ）はＢ−Ｂ矢視図である。
【図６】同分解斜視図である。
【図７】（ａ）は同プレイモードを示す要部の概略平面図、（ｂ）はエジェクトモードの前半を示す要部の概略平面図である。
【図８】同エジェクトモードの後半を示す要部の概略平面図である。
【図９】同エジェクトモードを示す平面図である。
【図１０】同エジェクトモードを示す縦断面図である。
【図１１】同エジェクト動作を示す原理図である。
【図１２】従来例を示す平面図である。
【図１３】（ａ）はプレイモードを示す縦断面図、（ｂ）はエジェクトモードを示す縦断面図である。
【図１４】（ａ）は同プレイモードを示す要部の概略平面図、（ｂ）はエジェクトモードの前半を示す要部の概略平面図である。
【図１５】同エジェクトモードの後半を示す要部の概略平面図である。
【図１６】同エジェクト動作を示す原理図である。
【符号の説明】
【００４７】
１        トレイ
２        ローダーシャーシ
３        トラバースシャーシ
１４      ダブルラック
１４Ａ    メインラック
１４Ｂ    サブラック
１４ａ    操作ピン
１７      フィードモータ
２９      操作溝の内側面
３２      レバートリガ
３２Ａ    操作溝
３２ａ    操作溝の出入口部
３２ｂ    操作溝の奥端部
３３      ガイド溝
３３ａ    大径孔
３４      フック部
Ｄ        ディスク
ａ，ｂ    前後進
ｃ，ｄ    左右方向
Ｏ１      傾斜方向
Ｏ２      直角方向
θ１      対向角度
【図１】
2006040394.tif 000003
【図２】
2006040394.tif 000004
【図３】
2006040394.tif 000005
【図４】
2006040394.tif 000006
【図５】
2006040394.tif 000007
【図６】
2006040394.tif 000008
【図７】
2006040394.tif 000009
【図８】
2006040394.tif 000010
【図９】
2006040394.tif 000011
【図１０】
2006040394.tif 000012
【図１１】
2006040394.tif 000013
【図１２】
2006040394.tif 000014
【図１３】
2006040394.tif 000015
【図１４】
2006040394.tif 000016
【図１５】
2006040394.tif 000017
【図１６】
2006040394.tif 000018